【手続補正書】
【提出日】平成16年9月17日(2004.9.17)
【手続補正１】
【補正対象書類名】明細書
【補正対象項目名】特許請求の範囲
【補正方法】変更
【補正の内容】
【特許請求の範囲】
【請求項１】  少なくとも１種のフルオロケミカル化合物、およびポリイソシアネートと、少なくとも５個の炭素原子を有する脂肪酸エステルジオール、ポリシロキサンジオール、ポリエステルジオール、ポリテトラメチレングリコール、ダイマージオールおよびそれらの混合物からなる群から選択されるジオールと、イソシアネートブロッキング剤との縮合から誘導されるブロックトイソシアネート増量剤を含む、繊維基材の処理用のフルオロケミカル組成物。
【請求項２】  以下のａ）〜ｇ）のうちの少なくとも１つをさらに特徴とする請求項１に記載のフルオロケミカル組成物、ａ）前記ブロックトイソシアネート増量剤が、前記ジオールから誘導される１〜２０の単位を有する縮合生成物を含む、又は、
ｂ）前記ポリシロキサンジオールが、ポリアルキルアリールシロキサンおよび炭素原子数１〜４のアルキル基を有するポリジアルキルシロキサンの群から選択される、又は、
ｃ）前記ポリエステルジオールがダイマージオールまたはダイマー酸ベースのポリエステルジオールである、又は、
ｄ）前記脂肪酸エステルジオールが、グリセロールモノオレエート、グリセロールモノステアレート、グリセロールモノリシノレエートおよびグリセロールモノタロー（tallow）からなる群から選択される、又は、
ｅ）前記イソシアネートブロッキング剤が、モノアルカノール、アリールアルコールおよびＣ２〜Ｃ８アルカノンオキシムからなる群から選択される、又は、
ｆ）前記フルオロケミカル組成物が、乳化剤を更に含む水性分散液の形態をとっているか、あるいは前記フルオロケミカル組成物が有機溶媒中で溶液の形態をとっている、又は、
ｇ）前記ポリシロキサンが以下の式
【化１】
2001516818.tif 000001
（Ｒ１およびＲ２は、独立に炭素原子数１〜４のアルキレンを表し、Ｒ３，Ｒ４，Ｒ５，Ｒ６，Ｒ７，Ｒ８およびＲ９は、独立にアリール基または炭素原子数１〜４のアルキル基を表し、Ｌは三価結合基を表し、ｍは１０〜５０の値を表す）の１つに対応する。
【請求項３】  請求項１または２に記載のフルオロケミカル組成物を前記繊維基材の表面の少なくとも一部に提供することを含む、繊維基材の処理方法。
【手続補正２】
【補正対象書類名】明細書
【補正対象項目名】０００１
【補正方法】変更
【補正の内容】
【０００１】
産業上の利用分野
本発明は、例えば撥油性および／または撥水性を繊維基材に付与する繊維基材（以下、限定することを意図せず、「ウェブ」と呼ぶこともある）処理用のフルオロケミカル組成物に関する。本発明のフルオロケミカル組成物は、フルオロケミカル化合物およびブロックトイソシアネート増量剤を含有する。
【手続補正３】
【補正対象書類名】明細書
【補正対象項目名】０００３
【補正方法】変更
【補正の内容】
【０００３】
撥油性および／または撥水性ならびに基材、特にテキスタイルおよびレザーなどの繊維基材に耐汚れ性または汚染除去性などのその他の特性を付与するフルオロケミカルの使用方法はよく知られており、商業的に相当重要なものである。
【手続補正４】
【補正対象書類名】明細書
【補正対象項目名】０００７
【補正方法】変更
【補正の内容】
【０００７】
発明が解決しようとする課題
当該技術分野において多くの「増量剤」が知られているにもかかわらず、その他の「増量剤」、特に弗素処理の効率を改善することが可能な増量剤および更に好ましくは、それに加えて処理済み基材のソフト感を実質的に低下させない「増量剤」またはなお更に好ましくは、処理済みウェブのソフト感に影響を及ぼさない、あるいは処理済み基材のソフト感を改善する増量剤が必要とされ続けている。こうした「増量剤」を低コストで容易に合成でき、また増量剤が良好な貯蔵安定性を有することが更に好ましい。「増量剤」はまた、基材の弗素処理に適合するべきである。
【手続補正５】
【補正対象書類名】明細書
【補正対象項目名】０００８
【補正方法】変更
【補正の内容】
【０００８】
課題を解決するための手段
本発明によると、少なくとも１種のフルオロケミカル化合物、およびポリイソシアネートと、脂肪酸エステルジオール、ポリシロキサンジオール、ポリエステルジオール、ポリテトラメチレングリコール、ダイマージオールおよびそれらの混合物からなる群から選択されるジオールと、イソシアネートブロッキング剤との縮合から誘導されるブロックトイソシアネート増量剤を含む、繊維基材の処理用のフルオロケミカル組成物が提供される。
【手続補正６】
【補正対象書類名】明細書
【補正対象項目名】０００９
【補正方法】変更
【補正の内容】
【０００９】
本発明は、上述の組成物で処理された繊維基材と繊維基材に撥水性および／または撥油性を付与する上述のフルオロケミカル組成物の使用方法も提供する。
【手続補正７】
【補正対象書類名】明細書
【補正対象項目名】００１０
【補正方法】変更
【補正の内容】
【００１０】
本発明はさらに、少なくとも１種のフルオロケミカル化合物、およびポリイソシアネートと、脂肪酸エステルジオール、ポリシロキサンジオール、ポリエステルジオール、ポリテトラメチレングリコール、ダイマージオールおよびそれらの混合物からなる群から選択されるジオールと、イソシアネートブロッキング剤との縮合から誘導されるブロックトイソシアネート増量剤を含むフルオロケミカル組成物を前記繊維基材の表面の一部に供給することを含む、繊維基材の処理方法を提供する。
【手続補正８】
【補正対象書類名】明細書
【補正対象項目名】００２４
【補正方法】変更
【補正の内容】
【００２４】
フルオロケミカル組成物中のフルオロケミカル化合物とブロックトイソシナネート増量剤の量は、繊維基材上における必要な特性、例えば、撥油性および／または撥水性を得るように選択される。一般に、ブロックトイソシアネート増量剤の量は、用いられるフルオロケミカル化合物の１００重量部に対して１５重量部〜４５重量部の間である。
【手続補正９】
【補正対象書類名】明細書
【補正対象項目名】００２６
【補正方法】変更
【補正の内容】
【００２６】
基材に塗布される本発明による処理剤組成物の量は、十分に高いレベルの必要な特性が基材表面に付与されるように選択され、通常、前記量は、基材の重量に対して０．０１％〜５％、好ましくは０．０５％〜２％のフルオロケミカル組成物が処理済み基材上に存在するような量である。必要な特性を付与するために十分な量は、実験的に決定することができ、また必要または所望に応じて増加させることができる。
【手続補正１０】
【補正対象書類名】明細書
【補正対象項目名】００２７
【補正方法】変更
【補正の内容】
【００２７】
本発明のフルオロケミカル組成物によって処理される繊維基材は特に限定されず、それらの基材には、テキスタイル布帛、木材、不織布および紙が挙げられる。本発明のフルオロケミカル組成物は、テキスタイルに対して撥油性および／または撥水性をもたらすために特に適する。
【手続補正１１】
【補正対象書類名】明細書
【補正対象項目名】００２８
【補正方法】変更
【補正の内容】
【００２８】
テキスタイル基材の処理に影響を与えるために、基材を希釈乳化液に浸漬することができる。その後、含浸した基材をパッダ／ローラーを通過させて過剰のエマルジョンを除去し、架橋処理済み基材を形成するために十分な温度および時間でオーブン中において乾燥し、架橋させることができる。この架橋工程は、一般に、用いられる特定のシステムまたは塗布方法に応じて約５０℃〜約１９０℃の間の温度で行われる。一般に、約２０秒〜約１０分、好ましくは３分〜５分の時間にわたる約１２０℃〜１７０℃、特に約１５０℃〜約１７０℃の温度が適する。